(57)【要約】【課題】大きな食器類の出し入れが容易で、食器類の出し入れを順番を気にすることなくランダムに行うことができるとともに、食器類がセットされている状態でも残菜の処理が可能で、いつも清潔な状態での洗浄サイクルを実現することができる引き出し型食器洗浄機を提供すること。【解決手段】上方が開口した矩形ボックス状の洗浄槽３をキャビネット（筐体）内に引き出し可能に収納し、該洗浄槽３内に収容セットされた食器類を洗浄する引き出し型食器洗浄機において、前記洗浄槽３の側面上半部に、上面開口部Ｓ２に連なる側面開口部Ｓ２を形成する。具体的には、前記洗浄槽３の左右の側面板６の高さｈ１を前面板４及び後面板５の高さｈ２よりも低く設定する（ｈ１＜ｈ２）。【選択図】図２
2007007001.tif 000002
【特許請求の範囲】
【請求項１】
上方が開口した矩形ボックス状の洗浄槽を筐体内に引き出し可能に収納し、該洗浄槽内に収容セットされた食器類を洗浄する引き出し型食器洗浄機において、
前記洗浄槽の少なくとも側面上半部に、上面開口部に連なる開口部を形成したことを特徴とする引き出し型食器洗浄機。
【請求項２】
前記洗浄槽の左右の側面板の高さを前面板及び後面板の高さよりも低く設定したことを特徴とする請求項１記載の引き出し型食器洗浄機。
【請求項３】
前記洗浄槽の左右の側面板の高さを前面板及び後面板の高さの略１／２に設定したことを特徴とする請求項２記載の引き出し型食器洗浄機。
【請求項４】
前記洗浄槽の側面上半部と後面上半部に、上面開口部に連なる開口部を形成したことを特徴とする請求項１記載の引き出し型食器洗浄機。
【請求項５】
前記洗浄槽の左右の側面板及び後面板の高さを前面板の高さよりも低く設定したことを特徴とする請求項４記載の引き出し型食器洗浄機。
【請求項６】
前記洗浄槽の左右の側面板及び後面板の高さを前面板の高さの略１／２に設定したことを特徴とする請求項５記載の引き出し型食器洗浄機。
【請求項７】
前記洗浄槽を前記筐体内に収納すると、その動作に連動して該洗浄槽の開口部を覆って洗浄槽を密閉する蓋部材を筐体に設けたことを特徴とする請求項１〜６の何れかに記載の引き出し型食器洗浄機。
【発明の詳細な説明】
【技術分野】
【０００１】
本発明は、上方が開口した矩形ボックス状の洗浄槽内に食器類を収容セットしてこれを洗浄する引き出し型食器洗浄機に関するものである。
【背景技術】
【０００２】
食器洗浄機は、洗浄槽内に収容セットされた食器類を、洗浄槽内で回転する洗浄ノズルから噴射される洗浄水で洗浄するものであるが、近年、上面か開口する矩形ボックス状の洗浄槽を筐体から引き出すことができる引き出し型食器洗浄機が主流となっている（例えば、特許文献１，２参照）。
【０００３】
斯かる引き出し型食器洗浄機１０１においては、図８に示すように、洗浄槽１０３を筐体であるキャビネット１０２から引き出し、該洗浄槽１０３の上面開口部Ｓ’から皿１１２やコップ１１３等の食器類を収容セットした後、洗浄槽１０３を奥へ押し込んでこれをキャビネット１０２内に収納し、洗浄槽１０３内で回転する不図示の洗浄ノズルから噴射される洗浄水で皿１１２やコップ１１３等の食器類を洗浄する。そして、皿１１２やコップ１１３等の食器類の洗浄が終了すると、洗浄槽１０３をキャビネット１０２から引き出し、その上面開口部Ｓ’から皿１１２やコップ１０３等の食器類を取り出す。
【特許文献１】特許第３１２９３１５号公報
【特許文献２】特開２００３−２３０５２６号公報
【発明の開示】
【発明が解決しようとする課題】
【０００４】
ところが、図８に示す従来の引き出し型食器洗浄機１０１においては、洗浄槽１０３はその上面のみが開口しているため、これをキャビネット１０２から引き出して皿１１２やコップ１１３等の食器類を出し入れする際、特に大皿等の大きな食器にあっては、洗浄槽１０３の側面板１０６が邪魔となってその出し入れが容易でなく、イメージ的にも洗浄槽１０３が狭く感じられる。
【０００５】
又、上下２段に食器類を収納することができる洗浄槽にあっては、下の段に食器類をセットしてからでなければ上の段に食器類をセットすることができず、又、上の段の食器類を取り出した後でなければ下の段の食器類を取り出すことができないため、食器類の出し入れに不便を伴うという問題もあった。
【０００６】
更に、洗浄槽１０３内の食器類を全て取り出した後でなければ、洗浄槽１０３内の残菜を取り出すことができず、このために残菜の処理を忘れ勝ちになり、洗浄槽１０３内が不衛生になり易いという問題もあった。
【０００７】
本発明は上記問題に鑑みてなされたもので、その目的とする処は、大きな食器類の出し入れが容易で、食器類の出し入れを順番を気にすることなくランダムに行うことができるとともに、食器類がセットされている状態でも残菜の処理が可能で、いつも清潔な状態での洗浄サイクルを実現することができる引き出し型食器洗浄機を提供することにある。
【課題を解決するための手段】
【０００８】
上記目的を達成するため、請求項１記載の発明は、上方が開口した矩形ボックス状の洗浄槽を筐体内に引き出し可能に収納し、該洗浄槽内に収容セットされた食器類を洗浄する引き出し型食器洗浄機において、前記洗浄槽の少なくとも側面上半部に、上面開口部に連なる開口部を形成したことを特徴とする。
【０００９】
請求項２記載の発明は、請求項１記載の発明において、前記洗浄槽の左右の側面板の高さを前面板及び後面板の高さよりも低く設定したことを特徴とする。
【００１０】
請求項３記載の発明は、請求項２記載の発明において、前記洗浄槽の左右の側面板の高さを前面板及び後面板の高さの略１／２に設定したことを特徴とする。
【００１１】
請求項４記載の発明は、請求項１記載の発明において、前記洗浄槽の側面上半部と後面上半部に、上面開口部に連なる開口部を形成したことを特徴とする。
【００１２】
請求項５記載の発明は、請求項４記載の発明において、前記洗浄槽の左右の側面板及び後面板の高さを前面板の高さよりも低く設定したことを特徴とする。
【００１３】
請求項６記載の発明は、請求項５記載の発明において、前記洗浄槽の左右の側面板及び後面板の高さを前面板の高さの略１／２に設定したことを特徴とする。
【００１４】
請求項７記載の発明は、請求項１〜６の何れかに記載の発明において、前記洗浄槽を前記筐体内に収納すると、その動作に連動して該洗浄槽の開口部を覆って洗浄槽を密閉する蓋部材を筐体に設けたことを特徴とする。
【発明の効果】
【００１５】
請求項１〜３記載の発明によれば、筐体から引き出された洗浄槽には上面だけでなく両側面の一部（左右の側面板の１／２の高さよりも上の部分）も開口するため、この大きな開口部から食器類をスムーズに出し入れすることができ、大皿等のサイズ大きな食器類であっても、これを洗浄槽に対して斜めに出し入れすることができる。又、洗浄槽の奥にも食器類を容易にセットすることができるとともに、奥にセットされた食器類も容易に取り出すことができる。
【００１６】
更に、洗浄槽の上下２段に食器類を収納することができる食器洗浄機においては、順番を気にすることなく、食器類を上下の段に対してランダムに出し入れすることができ、食器類の出し入れの自由度が高められる。
【００１７】
又、洗浄槽内に食器類をセットした状態であっても、洗浄槽の側面の開口部から手を差し込んで残菜を容易に取り出すことができるため、いつも清潔な状態での洗浄サイクルを実現することができる。
【００１８】
請求項４〜６記載の発明によれば、筐体から引き出された洗浄槽には上面だけでなく両側面上半部と後面上半部も開口するため、更に大きな開口部が形成され、この大きな開口部から食器類をスムーズに出し入れすることができ、請求項１〜３記載の発明において得られる前記効果と同様の効果が得られる。特に、洗浄槽の後面上半部も開口するため、洗浄槽の奥に対する食器類の出し入れが更に容易化する。
【００１９】
請求項７記載の発明によれば、洗浄槽を筐体内に収納する動作に連動して該洗浄槽の開口部を蓋部材で覆って洗浄槽を密閉するようにしたため、特別な操作を要することなく洗浄槽に高い水密性と気密性を確保することができ、そのまま洗浄作業に移ることができる。
【発明を実施するための最良の形態】
【００２０】
以下に本発明の実施の形態を添付図面に基づいて説明する。
【００２１】
＜実施の形態１＞
図１は本発明の実施の形態１に係る引き出し型食器洗浄機の側面図、図２は同引き出し型食器洗浄機の洗浄槽と蓋部材の斜視図、図３は食器類がセットされた洗浄槽と蓋部材の斜視図、図４は本発明の実施の形態１に係る引き出し型食器洗浄機の斜視図、図５は同引き出し型食器洗浄機の平面図である。
【００２２】
本実施の形態に係る引き出し型食器洗浄機１は、例えばシステムキッチンに一体的に組み込まれるビルトインタイプのものであって、システムキッチンの筐体としてのキャビネット２に対して出し入れされる洗浄槽３を備えている。
【００２３】
上記洗浄槽３は、図２に示すように、矩形プレート状の前面板４と後面板５及びこれらの前面板４と後面板５を接続する左右の側面板６とで矩形ボックス状に成形されており、その上面とこの上面に連なる左右の側部が開口している。
【００２４】
即ち、左右の側面板６は、洗浄槽３の側面の全てを覆っておらず、下半分のみを覆っており、その上方には側面開口部Ｓ１が形成され、左右の側面開口部Ｓ１は上面開口部Ｓ２と共に１つの大きな開口部Ｓを形成している。ここで、左右の側面板６の高さｈ１は前面板４と後面板５の高さｈ２の約１／２に設定されており（ｈ１≒ｈ２／２）、洗浄槽３の下半部は、底面板７の周囲を前面板４と後面板５及び左右の側面板６で囲んで構成される容器部３ａを構成している。
【００２５】
又、キャビネット２内には、洗浄槽３をキャビネット２内に収納すると、その動作に連動して下動して該洗浄槽３の開口部Ｓを覆って洗浄槽３を密閉する蓋部材８が設けられている。この蓋部材８は、図２及び図３に示すように、下方が開口するチャンネル状の部材であって、洗浄槽３を図１、図４及び図５に示すようにキャビネット２から引き出すと、その動作に連動して洗浄槽３から浮き上がって該洗浄槽３の開口部Ｓを開放する。
【００２６】
ところで、洗浄槽３の前面板４には操作パネル９が設けられており、この操作パネル９には電源スイッチ、スタートスイッチ等の各種スイッチ類１０が配されている。
【００２７】
尚、図示しないが、洗浄槽３内には、回転しながら洗浄水を噴射する噴射ノズル、洗浄水を加熱するヒータ、残菜を濾し取るための残菜フィルタ等が設けられ、洗浄槽３外には、洗浄槽３の底部の容器部３ａに溜った洗浄水を排出してこれを前記噴射ノズルへと圧送する洗浄ポンプ、洗浄槽３内に外気を導入する送風ファン、洗浄槽３内の水蒸気を含んだ空気を洗浄槽３外へ排出するための排気手段等が設けられている。
【００２８】
次に、以上の構成を有する引き出し型食器洗浄機１による食器類の洗浄について説明する。
【００２９】
食器類の洗浄に際しては、洗浄槽３を手前に引いてこれを図１、図４及び図５に示すようにキャビネット２から引き出すと、その動作に連動して該洗浄槽３の開口部Ｓを覆っていた蓋部材８が浮き上がって開口部Ｓを開放し、引き出された洗浄槽３には、上面開口部Ｓ２と左右の側面開口部Ｓ１を含む大きな開口部Ｓが開口する。従って、この大きな開口部Ｓから大皿１１や小皿１２、コップ１３等の食器類を洗浄槽３内の食器篭１４に整然と収納セットすることができる。
【００３０】
このように、本実施の形態に係る引き出し型食器洗浄機１においては、キャビネット２から引き出された洗浄槽３には上面だけでなく両側面の一部（左右の側面板６の１／２の高さよりも上の部分）も開口するため、この大きな開口部Ｓから食器類をスムーズに収納セットすることができ、大皿１１等のサイズ大きな食器類であっても、これを洗浄槽３に対して斜めにセットすることができ、従来のように側面板６がセットの邪魔になることがなく、又、洗浄槽３がイメージ的に狭く感じることもない。又、洗浄槽３内の奥にも食器類を容易にセットすることができる。
【００３１】
更に、洗浄槽３の上下２段に食器類を収納することができる食器洗浄機においては、順番を気にすることなく、食器類を上下の段に対してランダムに収納セットすることができ、食器類の洗浄槽３内への収納セットの自由度が高められる。
【００３２】
而して、上述のように大皿１１や小皿１２、コップ１３等の食器類が洗浄槽３内に収納セットされると、洗浄槽３を奥側に押して込んでこれをキャビネット２内に収納する。すると、前述のようにその動作に連動して蓋部材８が下動して洗浄槽３の開口部Ｓを覆い、該洗浄槽３内が蓋部材８によって密閉される。このため、特別な操作を要することなく洗浄槽３に高い水密性と気密性を確保することができ、そのまま洗浄作業（洗い及びすすぎ作業）に移ることができる。
【００３３】
即ち、操作パネル９の電源スイッチをＯＮした後にスタートボタンをＯＮすると、運転が開始されて不図示の給水ホースから洗浄槽３内に洗浄水が供給され、洗浄槽３内底部の容器部３ａに洗浄水が溜り、この洗浄水は不図示のヒータによって所定温度に加熱される。そして、加熱された洗浄水は、不図示の洗浄ポンプによって加圧されて不図示の噴射ノズルへと供給され、噴射ノズルから大皿１１や小皿１２、コップ１３等の食器類に向かって勢い良く噴射され、食器類の汚れ洗浄水によって除去され、食器類から除去された残菜等は不図示の残菜フィルタによって濾し取られて捕集される。食器類の洗浄に供されて洗浄槽３内底部の容器部３ａに落下した洗浄水は、ヒータによって再度加熱された後、洗浄ポンプによって加圧されて噴射ノズルから噴射されて食器類の洗浄に供され、以後、同様の作業が繰り返されて食器類が洗浄される。
【００３４】
以上のようにして食器類の洗いとすすぎ作業が終了すると、洗浄槽３内底部の容器部３ａに溜った洗浄水は、洗浄ポンプによって抜き取られ、不図示の排水ホースを通って洗浄槽３外へと排出され、作業は乾燥工程へと移行する。
【００３５】
乾燥工程では、不図示の送風ファンが駆動されて外気が洗浄槽３内に導入され、その外気はヒータによって加熱され、食器類に当たって該食器類を乾燥させる。そして、このとき発生する水蒸気を含んだ空気は、不図示の排気手段によって洗浄槽３外へ排出され、以上の作業が繰り返されることによって食器類が乾燥処理される。
【００３６】
而して、以上のようにして食器類に対する洗いとすすぎ及び乾燥処理が終了すると、電源がＯＦＦされて当該引き出し型食器洗浄機１の運転が自動停止されるが、その後、必要に応じて洗浄槽３を手前に引いてこれをキャビネット２から図１、図４及び図５に示すように引き出せば、その動作に連動して該洗浄槽３の開口部Ｓを覆っていた蓋部材８が浮き上がって開口部Ｓを開放し、引き出された洗浄槽３には、上面開口部Ｓ２と左右の側面開口部Ｓ２を含む大きな開口部Ｓが開口する。従って、この大きな開口部Ｓから大皿１１や小皿１２、コップ１３等の食器類を洗浄槽３内から容易に取り出すことができる。
【００３７】
このように、本実施の形態に係る引き出し型食器洗浄機１においては、キャビネット２から引き出された洗浄槽３には上面だけでなく両側面の一部（左右の側面板６の１／２の高さよりも上の部分）も開口するため、この大きな開口部Ｓから食器類をスムーズに取り出すことができ、大皿１１等のサイズ大きな食器類であっても、これを洗浄槽３から斜めに取り出すことができ、従来のように側面板６が取り出しの邪魔になることがなく、又、洗浄槽３内の奥にセットされている食器類も容易に取り出すことができる。
【００３８】
更に、洗浄槽３の上下２段に食器類を収納することができる食器洗浄機においては、順番を気にすることなく、食器類を上下の段の何れからでもランダムに取り出すことができ、食器類の洗浄槽３からの取り出しの自由度が高められる。
【００３９】
又、洗浄槽３内にセットされている食器類の全てを取り出さなくても、食器類をセットした状態で、洗浄槽３の側面開口部Ｓ１から手を差し込んで残菜を容易に取り出すことができるため、いつも清潔な状態での洗浄サイクルを実現することができる。
【００４０】
＜実施の形態２＞
次に、本発明の実施の形態２を図６及び図７に基づいて説明する。
【００４１】
図６は本発明の実施の形態２に係る引き出し型食器洗浄機の側面図、図７は同引き出し型食器洗浄機の洗浄槽と蓋部材の斜視図であり、これらの図においては図１及び図２に示したものと同一要素については同一符号を付しており、以下、これらについての再度の説明は省略する。
【００４２】
本実施の形態は、洗浄槽３の側面上半部と後面上半部に、上面開口部Ｓ２に連なる側面開口部Ｓ１と後面開口部Ｓ３を形成したことを特徴とする。
【００４３】
即ち、左右の側面板６と後面板５は、洗浄槽３の側面及び後面の全てを覆っておらず、下半分のみを覆っており、その上方には側面開口部Ｓ１と後面開口部Ｓ３が形成され、左右の側面開口部Ｓ１と後面開口部Ｓ３は上面開口部Ｓ２と共に１つの大きな開口部Ｓを形成している。ここで、左右の側面板６と後面板５の高さｈ１は、図７に示すように、前面板４の高さｈ２の約１／２に設定されており（ｈ１≒ｈ２／２）、洗浄槽３の下半部は、底面板７の周囲を前面板４と後面板５及び左右の側面板６で囲んで構成される容器部３ａを構成している。
【００４４】
又、キャビネット２内には、洗浄槽３をキャビネット２内に収納すると、その動作に連動して下動して該洗浄槽３の開口部Ｓを覆って洗浄槽３を密閉する蓋部材８が設けられている。この蓋部材８は、図７に示すように、前面及び下面が開口する部材であって、洗浄槽３を図６に示すようにキャビネット２から引き出すと、その動作に連動して洗浄槽３から浮き上がって該洗浄槽３の開口部Ｓを開放する。
【００４５】
而して、本実施の形態に係る引き出し型食器洗浄機１によれば、キャビネット２から引き出された洗浄槽３には上面開口部Ｓ２だけでなく両側面開口部Ｓ１と後面開口部Ｓ３も開口するため、更に大きな開口部Ｓが形成され、この大きな開口部Ｓから大皿１１や小皿１２、コップ１３等の食器類をスムーズに出し入れすることができ、前記実施の形態１にて得られたと同様の効果が得られる。特に、本実施の形態では、洗浄槽３の後面上半部も後面開口部Ｓ３が開口するため、洗浄槽３の奥に対する食器類の出し入れが更に容易化するという特有の効果が得られる。
【産業上の利用可能性】
【００４６】
本発明は、システムキッチンに一体的に組み込まれるビルトインタイプの引き出し型食器洗浄機のみならず、他の任意の形式の引き出し型食器洗浄機に対しても同様に適用可能である。
【図面の簡単な説明】
【００４７】
【図１】本発明の実施の形態１に係る引き出し型食器洗浄機の側面図である。
【図２】本発明の実施の形態１に係る引き出し型食器洗浄機の洗浄槽と蓋部材の斜視図である。
【図３】本発明の実施の形態１に係る引き出し型食器洗浄機の食器類がセットされた洗浄槽と蓋部材の斜視図である。
【図４】本発明の実施の形態１に係る引き出し型食器洗浄機の斜視図である。
【図５】本発明の実施の形態１に係る引き出し型食器洗浄機の平面図である。
【図６】本発明の実施の形態２に係る引き出し型食器洗浄機の側面図である。
【図７】本発明の実施の形態２に係る引き出し型食器洗浄機の洗浄槽と蓋部材の斜視図である。
【図８】従来の引き出し型食器洗浄機の斜視図である。
【符号の説明】
【００４８】
１      引き出し型食器洗浄機
２      キャビネット（筐体）
３      洗浄槽
３ａ    容器部
４      前面板
５      後面板
６      側面板
７      底面板
８      蓋部材
９      操作パネル
１０    スイッチ類
１１    大皿
１２    小皿
１３    コップ
１４    食器籠
ｈ１    側面板の高さ
ｈ２    前面板及び後面板の高さ
Ｓ１    側面開口部
Ｓ２    上面開口部
Ｓ３    後面開口部
Ｓ      開口部
【図１】
2007007001.tif 000003
【図２】
2007007001.tif 000004
【図３】
2007007001.tif 000005
【図４】
2007007001.tif 000006
【図５】
2007007001.tif 000007
【図６】
2007007001.tif 000008
【図７】
2007007001.tif 000009
【図８】
2007007001.tif 000010